【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御を行うときに、前記可変表示部毎に該可変表示部に対応する所定値をそれぞれランダムに決定する所定値決定手段と、
を備え、
前記所定値決定手段により前記可変表示部毎にそれぞれランダムに決定された所定値に基づいて、前記特殊変動制御手段により前記特殊変動制御が行われた後、前記可変表示部の変動速度が前記規定の速度となるまでの時間が前記可変表示部毎にランダムとなるようにそれぞれの可変表示部を変動させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う
ことを特徴とする、スロットマシン。
【請求項２】
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御手段が前記特殊変動制御を行った後に、前記可変表示部毎に該可変表示部に対応する所定値をそれぞれランダムに決定する所定値決定手段と、
を備え、
前記所定値決定手段により前記可変表示部毎にそれぞれランダムに決定された所定値に基づいて、前記特殊変動制御手段により前記特殊変動制御が行われた後、前記可変表示部の変動速度が前記規定の速度となるまでの時間が前記可変表示部毎にランダムとなるようにそれぞれの可変表示部を変動させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う
ことを特徴とする、スロットマシン。
【請求項３】
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御を行うときに、所定値をランダムに決定する所定値決定手段と、
を備え、
前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う
ことを特徴とする、スロットマシン。
【請求項４】
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御手段が前記特殊変動制御を行った後に、所定値をランダムに決定する所定値決定手段と、
を備え、
前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う
ことを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報が所定の順番で配置された表示帯を移動させることで変動表示可能な可変表示部を複数備え、前記可変表示部の変動表示を停止することで表示結果を導出し、複数の可変表示部の表示結果の組合せに応じて入賞が発生可能なスロットマシンに関する。
【手続補正３】
【補正対象書類名】明細書
【補正対象項目名】０００７
【補正方法】変更
【補正の内容】
【０００７】
このようなスロットマシンにおいて、たとえば、フリーズ中に、液晶表示装置に表示されるサブリールを回転させる演出遊技を行なうものがあった（例えば、特許文献１参照）。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
この発明は、実情に鑑み考え出されたものであり、その目的は、遅延制御に合わせて演出制御を実行することができるスロットマシンを提供することである。
【手続補正６】
【補正対象書類名】明細書
【補正対象項目名】００１１
【補正方法】変更
【補正の内容】
【００１１】
本発明の請求項１に記載のスロットマシンは、
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御を行うときに、前記可変表示部毎に該可変表示部に対応する所定値をそれぞれランダムに決定する所定値決定手段と、
を備え、
前記所定値決定手段により前記可変表示部毎にそれぞれランダムに決定された所定値に基づいて、前記特殊変動制御手段により前記特殊変動制御が行われた後、前記可変表示部の変動速度が前記規定の速度となるまでの時間が前記可変表示部毎にランダムとなるようにそれぞれの可変表示部を変動させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う。
本発明の請求項２に記載のスロットマシンは、
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御手段が前記特殊変動制御を行った後に、前記可変表示部毎に該可変表示部に対応する所定値をそれぞれランダムに決定する所定値決定手段と、
を備え、
前記所定値決定手段により前記可変表示部毎にそれぞれランダムに決定された所定値に基づいて、前記特殊変動制御手段により前記特殊変動制御が行われた後、前記可変表示部の変動速度が前記規定の速度となるまでの時間が前記可変表示部毎にランダムとなるようにそれぞれの可変表示部を変動させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う。
本発明の請求項３に記載のスロットマシンは、
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御を行うときに、所定値をランダムに決定する所定値決定手段と、
を備え、
前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う。
本発明の請求項４に記載のスロットマシンは、
各々が識別可能な複数種類の識別情報が所定の順番で配置された表示帯を移動させることで変動表示可能な可変表示部を複数備え、
前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記可変表示部の変動速度が規定の速度となったときに前記導出操作手段の操作を有効化する導出操作有効化手段と、
前記導出操作手段が操作されたときに表示結果を導出する制御を行う導出制御手段と、
前記導出操作有効化手段による前記導出操作手段の操作の有効化を遅延させることが可能な有効化遅延手段と、
前記導出操作手段の操作が有効化されるまでに、前記複数の可変表示部を構成する表示帯同士の相対的な位置関係が特定位置関係となるように前記複数の可変表示部の変動制御を行う特殊変動制御を行うことが可能な特殊変動制御手段と、
前記特殊変動制御手段が前記特殊変動制御を行った後に、所定値をランダムに決定する所定値決定手段と、
を備え、
前記特殊変動制御手段により前記特殊変動制御が行われた後、一の可変表示部の変動を開始させ、該一の可変表示部の変動開始後、前記所定値決定手段によりランダムに決定された所定値に基づく時間が経過した後、他の可変表示部の変動を開始させ、
前記有効化遅延手段は、遅延条件の成立に応じて前記導出操作手段の操作の有効化を遅延させる遅延期間を設定し、
前記特殊変動制御手段は、前記遅延条件の成立に応じて設定された遅延期間が経過するまでに前記特殊変動制御を行う。
なお、以下の構成を備えるものであってもよい。
（１）  各々が識別可能な複数種類の識別情報（図柄）が所定の順番で周期的に移動させることで変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域のすべてに前記表示結果が導出されることにより１ゲームが終了し、１ゲームの結果として前記複数の可変表示領域のそれぞれに導出された前記表示結果の組合せに応じて入賞が発生可能とされたスロットマシン（第２実施の形態および［フリーズ期間中における出目停止後の制御について］欄の変形例１におけるスロットマシン１）であって、
前記複数の可変表示領域に表示結果が導出される前に入賞の発生を許容するか否かを決定する事前決定手段（内部抽選）と、
前記複数の可変表示領域に表示結果を導出させる際にそれぞれ操作される導出操作手段（ストップスイッチ８Ｌ、８Ｃ、８Ｒ）と、
前記ゲームの開始後、前記導出操作手段が操作されたことを有効に受け付ける有効受付状態とする有効受付状態制御手段（定速回転到達でストップスイッチ８Ｌ、８Ｃ、８Ｒを有効化するための処理）と、
前記有効受付状態において前記導出操作手段が操作されたときに、前記事前決定手段の決定結果に基づいて該導出操作手段に対応する可変表示領域に表示結果を導出させる制御を行なう導出制御手段（リールの停止制御）と、
遅延条件が成立しているとき（特定ゲームが開始されたとき）に遅延期間（フリーズ期間カウンタ）を設定して、当該遅延条件が成立していないときよりも前記有効受付状態にする有効化タイミングを前記遅延期間に亘って遅延させる有効化遅延手段（メイン制御部４１、フリーズ関連処理のＳｓ０６、Ｓｓ１７）と、
前記導出操作手段の操作と異なる操作を受付ける操作受付手段（スタートスイッチ７、演出用スイッチ５６など）と、
前記遅延期間中に前記操作受付手段により所定の操作が受付けられたことに基づいて、前記複数の可変表示領域各々の識別情報同士の相対的な位置関係が所定位置関係となるように前記複数の可変表示領域の変動制御を行なって所定演出（フリーズ中の制御データに基づくリール演出制御など）を実行し、当該所定演出を開始したタイミングに関わらず前記遅延期間における特定タイミング（１．フリーズ中に実行される成功パターンに対応する制御データに基づく制御について、当該制御を操作が受付けられて開始したものであるかや当該操作が受付けられたタイミングに関わらず、当該制御における操作受付期間において操作が受付けられなかった場合に当該制御が終了する共通の特定タイミング、２．フリーズ中に実行される失敗パターンに対応する制御データに基づく制御について、当該制御を操作が受付けられて開始したものであるかや当該操作が受付けられたタイミングに関わらず、フリーズ中に操作が受付けられなかった場合に当該制御が終了する共通の特定タイミング、３．フリーズ期間カウンタが０に到達してフリーズが終了するタイミング）に到達するまで当該所定演出を実行する演出実行手段（フリーズ関連処理のＳｓ１０〜Ｓｓ１７、メイン制御部４１による処理、図３４、図３５参照）と、
前記所定演出が実行されることにより前記所定位置関係となった前記複数の可変表示領域各々の識別情報同士の相対的な位置関係がランダムとなるように前記所定演出を終了する際の位置関係を、当該所定演出を開始するまでに決定する位置関係決定手段（位置関係決定処理）とを備え、
前記演出実行手段は、前記ゲームの開始後の前記遅延期間において、前記複数の可変表示領域各々の識別情報同士の相対的な位置関係が前記所定位置関係となるように前記複数の可変表示領域の変動制御を行なった後、前記複数の可変表示領域各々の識別情報同士の相対的な位置関係を前記位置関係決定手段により決定された位置関係に変更させ（［フリーズ期間中における出目停止後の制御について］欄の変形例１参照）、
前記有効受付状態制御手段は、前記遅延期間において、前記演出実行手段により前記複数の可変表示領域各々の識別情報同士の相対的な位置関係が前記位置関係決定手段により決定された位置関係に変更された後、前記有効受付状態にする（［フリーズ期間中における出目停止後の制御について］欄の変形例１参照）。
【手続補正７】
【補正対象書類名】明細書
【補正対象項目名】０４０６
【補正方法】変更
【補正の内容】
【０４０６】
具体的に、ＬＥＤダイナミック表示処理（Ｓｉ１０）では、各種表示器のいずれをダイナミック点灯させるか否かや点灯時間、点灯タイミング等に応じて、処理期間が異なってくる。また、制御信号等出力処理（Ｓｉ１１）では、出力ポートへの出力の有無等に応じて、処理期間が異なってくる。さらに、コマンド送信処理（Ｓｉ１４）では、コマンドの送信の有無や送信タイミング等に応じて、処理期間が異なってくる。また、外部出力信号更新処理（Ｓｉ１５）では、外部出力信号の更新の有無や更新タイミング等に応じて、処理期間が異なってくる。さらに、ポート入力処理（Ｓｉ１７）では、各種スイッチ類のいずれの検出データが入力されたか否かや入力タイミング等に応じて、処理期間が異なってくる。また、原点通過時処理（Ｓｉ１８）では、回転中のリール２Ｌ、２Ｃ、２Ｒが原点通過をしたか否かや、リール回転エラーの発生を検知したか否か、停止準備が完了したか否か、定速回転中であるか否か、いずれのストップスイッチの操作が有効化されているか否か等に応じて、処理期間が異なってくる。さらに、スイッチ入力判定処理（Ｓｉ１９）では、各種スイッチ類の検出信号の有無や検出タイミング、あるいは各種スイッチが検出条件を満たしているか否か等に応じて、処理期間が異なってくる。